(57)【要約】【課題】恒温調理プレート上の食材を均一に加熱させることが可能な恒温調理プレートおよび恒温調理プレートを有する鍋具を提供する。【解決手段】恒温調理プレートを有する鍋具は、鍋体１０４および皿体２０を備える。皿体２０は、その上に開口２０３が設けられ、鍋体１０４の内面と密着された周縁を有し、鍋体１０４との間に収納空間が設けられ、鍋体１０４の周縁と皿体２０との間には環状溝１０２が形成され、開口２０３は、収納空間内に液体を注入するために用いられ、液体を沸騰するまで加熱することにより、皿体２０を恒温に保つ。【選択図】図２
0003146205.tif 000002
【実用新案登録請求の範囲】
【請求項１】
底部および皿体を備えた恒温調理プレートであって、
前記皿体は、その上に開口が設けられ、前記底部の面と密着された周縁を有し、前記底部との間に収納空間が設けられ、
前記開口は、前記収納空間内に液体を注入するために用いられ、前記液体を沸騰するまで加熱することにより、前記皿体を恒温に保つことを特徴とする恒温調理プレート。
【請求項２】
前記開口には、蓋体が可動可能に設けられていることを特徴とする請求項１に記載の恒温調理プレート。
【請求項３】
前記蓋体は、前記皿体の前記開口に隣接した箇所に枢着され、回動させることにより前記開口を覆ったり露出させたりすることを特徴とする請求項２に記載の恒温調理プレート。
【請求項４】
前記蓋体には、空気孔が穿設されていることを特徴とする請求項３に記載の恒温調理プレート。
【請求項５】
前記皿体は半円球状であることを特徴とする請求項１に記載の恒温調理プレート。
【請求項６】
前記底部の前記皿体と反対側の面に、導電金属からなる加熱層が設けられることを特徴とする請求項１に記載の恒温調理プレート。
【請求項７】
前記液体は水であることを特徴とする請求項１に記載の恒温調理プレート。
【請求項８】
前記液体は、塩成分を含む水であることを特徴とする請求項７に記載の恒温調理プレート。
【請求項９】
前記液体は油であることを特徴とする請求項１に記載の恒温調理プレート。
【請求項１０】
鍋体および皿体を備えた恒温調理プレートを有する鍋具であって、
前記皿体は、その上に開口が設けられ、前記鍋体の内面と密着された周縁を有し、前記鍋体との間に収納空間が設けられ、前記鍋体の前記周縁と前記皿体との間には環状溝が形成され、
前記開口は、前記収納空間内に液体を注入するために用いられ、前記液体を沸騰するまで加熱することにより、前記皿体を恒温に保つことを特徴とする恒温調理プレートを有する鍋具。
【請求項１１】
前記開口には、蓋体が可動可能に設けられていることを特徴とする請求項１０に記載の恒温調理プレートを有する鍋具。
【請求項１２】
前記蓋体は、前記皿体の前記開口に隣接した箇所に枢着され、回動させることにより前記開口を覆ったり露出させたりすることを特徴とする請求項１１に記載の恒温調理プレートを有する鍋具。
【請求項１３】
前記蓋体には、空気孔が穿設されていることを特徴とする請求項１２に記載の恒温調理プレートを有する鍋具。
【請求項１４】
前記鍋体の前記皿体と反対側の面に、導電金属からなる加熱層が設けられることを特徴とする請求項１０に記載の恒温調理プレートを有する鍋具。
【請求項１５】
前記液体は水であることを特徴とする請求項１０に記載の恒温調理プレートを有する鍋具。
【請求項１６】
前記液体は、塩成分を含む水であることを特徴とする請求項１５に記載の恒温調理プレートを有する鍋具。
【請求項１７】
前記液体は油であることを特徴とする請求項１０に記載の恒温調理プレートを有する鍋具。
【考案の詳細な説明】
【技術分野】
【０００１】
本考案は、調理プレートおよび調理プレートを有する鍋具に関し、特に、液体を沸騰するまで加熱させ、調理プレートを恒温に保つ恒温調理プレートおよび恒温調理プレートを有する鍋具に関する。
【背景技術】
【０００２】
現在、生活の質に対する人々の要求が高まるに伴い、様々な分野において、より便利で効率的な製品の研究開発に努力が注がれている。この風潮は、ハイテク製品の分野だけにとどまらず、人々の生活と深く関わる生活用品にも及び、不便性や好ましくない設計に対する人々の不満に鑑みて改良が行われている。その結果、利便性および効率が大幅に向上し、各メーカーが製品を製造する際、さらに優れた使用効果および便利な機能を求めて設計が行われている。例えば、韓国式焼肉店で使用されていた従来の韓国式焼肉用調理プレートには、図１に示すようなものがあった。図１に示すように、焼肉用調理プレート５００上には、隆起部５０１が形成されている。この隆起部５０１は、焼肉用調理プレート５００の一方の側が隆起されて形成され、隆起部５０１と表裏の関係で凹部５０２が凹設されている。そして、焼肉用調理プレート５００が加熱装置上で加熱されると、焼肉用調理プレート５００が有する高い熱伝導率により、隆起部５０１の表面まで高熱が徐々に伝わり、隆起部５０１の表面に置かれた食材が焼かれる。
【０００３】
しかし、焼肉用調理プレート５００は、加熱装置から隆起部５０１までの距離が均一でなかったため、加熱装置に近い箇所が強く加熱され、加熱装置から遠い箇所が弱く加熱されることがあった。その結果、凹部５０２内の隆起部５０１における加熱効果が不均一となり、隆起部５０１の頂点の箇所と、頂点から離れた箇所との温度が異なってしまうことがあった。そのため、食材は、隆起部５０１の表面に置かれた場所により、焦げたり生焼けになったりし、これによりユーザが食材に対して興味を失ってしまうことがあった。さらには、焼き方が好ましくない食材を食べた者に健康被害がもたらされるおそれがある。そのため、上述の欠点および不便性が改良され、利便性および機能性に優れた焼肉用調理プレートおよびその鍋具が求められていた。
【考案の開示】
【考案が解決しようとする課題】
【０００４】
そのため、本考案の目的は、恒温調理プレート上の食材を均一に加熱することが可能な恒温調理プレートおよび恒温調理プレートを有する鍋具を提供することにある。
【課題を解決するための手段】
【０００５】
上述の目的を達成するため、本考案の請求項１に記載の恒温調理プレートによると、底部および皿体を備えた恒温調理プレートであって、前記皿体は、その上に開口が設けられ、前記底部の面と密着された周縁を有し、前記底部との間に収納空間が設けられ、前記開口は、前記収納空間内に液体を注入するために用いられ、前記液体を沸騰するまで加熱することにより、前記皿体を恒温に保つことを特徴とする。
【０００６】
本考案の請求項２に記載の恒温調理プレートによると、前記開口には、蓋体が可動可能に設けられていることを特徴とする。
【０００７】
本考案の請求項３に記載の恒温調理プレートによると、前記蓋体は、前記皿体の前記開口に隣接した箇所に枢着され、回動させることにより前記開口を覆ったり露出させたりすることを特徴とする。
【０００８】
本考案の請求項４に記載の恒温調理プレートによると、前記蓋体には、空気孔が穿設されていることを特徴とする。
【０００９】
本考案の請求項５に記載の恒温調理プレートによると、前記皿体は半円球状であることを特徴とする。
【００１０】
本考案の請求項６に記載の恒温調理プレートによると、前記底部の前記皿体と反対側の面に、導電金属からなる加熱層が設けられることを特徴とする。
【００１１】
本考案の請求項７に記載の恒温調理プレートによると、前記液体は水であることを特徴とする。
【００１２】
本考案の請求項８に記載の恒温調理プレートによると、前記液体は、塩成分を含む水であることを特徴とする。
【００１３】
本考案の請求項９に記載の恒温調理プレートによると、前記液体は油であることを特徴とする。
【００１４】
本考案の請求項１０に記載の恒温調理プレートを有する鍋具によると、鍋体および皿体を備えた恒温調理プレートを有する鍋具であって、前記皿体は、その上に開口が設けられ、前記鍋体の内面と密着された周縁を有し、前記鍋体との間に収納空間が設けられ、前記鍋体の前記周縁と前記皿体との間には環状溝が形成され、前記開口は、前記収納空間内に液体を注入するために用いられ、前記液体を沸騰するまで加熱することにより、前記皿体を恒温に保つことを特徴とする。
【００１５】
本考案の請求項１１に記載の恒温調理プレートを有する鍋具によると、前記開口には、蓋体が可動可能に設けられていることを特徴とする。
【００１６】
本考案の請求項１２に記載の恒温調理プレートを有する鍋具によると、前記蓋体は、前記皿体の前記開口に隣接した箇所に枢着され、回動させることにより前記開口を覆ったり露出させたりすることを特徴とする。
【００１７】
本考案の請求項１３に記載の恒温調理プレートを有する鍋具によると、前記蓋体には、空気孔が穿設されていることを特徴とする。
【００１８】
本考案の請求項１４に記載の恒温調理プレートを有する鍋具によると、前記鍋体の前記皿体と反対側の面に、導電金属からなる加熱層が設けられることを特徴とする。
【００１９】
本考案の請求項１５に記載の恒温調理プレートを有する鍋具によると、前記液体は水であることを特徴とする。
【００２０】
本考案の請求項１６に記載の恒温調理プレートを有する鍋具によると、前記液体は、塩成分を含む水であることを特徴とする。
【００２１】
本考案の請求項１７に記載の恒温調理プレートを有する鍋具によると、前記液体は油であることを特徴とする。
【考案の効果】
【００２２】
本考案の恒温調理プレートおよび恒温調理プレートを有する鍋具は、収納空間内の液体を沸騰するまで加熱させた後、皿体の表面に熱を均一に伝導させることができるため、その上で焼く食材が生焼けになったり焦げたりすることを防ぐことができる。
【考案を実施するための最良の形態】
【００２３】
以下、本考案の実施形態を図面に基づいて説明する。なお、これにより本考案が限定されるものではない。
【００２４】
図２および図３を参照する。図２および図３に示すように、本考案の一実施形態による恒温調理プレートは、熱伝導率が高い円形状の底部１０および半球状の皿体２０からなる。皿体２０は、その周縁と底部１０の面とが当接されて密着し、底部１０との間には液体３０（水、塩水、油など）を収納することが可能な収納空間２０１が形成されている。皿体２０の頂部には開口２０３が設けられ、開口２０３と収納空間２０１とが連通し、開口２０３には蓋体２０４が可動可能に枢着されている。この蓋体２０４は、回動させることにより、開口２０３上を覆って液体３０が跳ねることを防いだり、開口２０３を露出させて収納空間２０１内に液体３０を注入したりすることができる。
【００２５】
また、蓋体２０４上には空気孔２０５が穿設されている。この空気孔２０５は、開口２０３上が蓋体２０４で覆われ、収納空間２０１内の液体３０が沸点まで加熱された後に、気化した気体を排出するために用い、収納空間２０１内の圧力が高くなりすぎないようにすることができる。また、皿体２０の外表面は弧状に形成されている。この弧状表面上には、多数のバンプ２０２が平均的に分布されているため、弧状表面上に置かれた食材が滑り落ちることを防ぐことができる。
【００２６】
本実施形態では、底部１０の周縁に凸縁１０１が周設されて鍋体１０４が形成され、鍋体１０４と皿体２０との間には環状溝１０２が形成されている。この環状溝１０２は、鍋料理用に使用したり、皿体２０の弧状表面上の食材から流れ出る油、水分またはカスを集めるために使用したりすることができる。また、底部１０または鍋体１０４の皿体２０と反対側の面には、加熱層１０３が設けられている。この加熱層１０３は、導電金属（例えば、ステンレス、クロム、鉄など）からなり、電気により熱エネルギを発生させる装置（例えば、電磁調理器）上に置いて熱伝導を均一にし、熱エネルギの効率を向上させることができる。
【００２７】
そのため、底部１０または鍋体１０４が有する加熱層１０３の面に設置された加熱装置（例えば、電磁調理器）により、底部１０または鍋体１０４を加熱させると、底部１０または鍋体１０４により、収納空間２０１内の液体３０が急速に加熱され、沸点（ｂｏｉｌｉｎｇ  ｐｏｉｎｔ）まで水温を上昇させることができる。本実施形態の液体３０が水である場合、この水が沸点（約１００℃）まで加熱されると、皿体２０の高い熱伝導の特性により、皿体２０の表面温度が約１００℃となる。そして、収納空間２０１内の水が沸騰し続けるため、皿体２０の表面が沸騰時の高温に維持される。そのため、皿体２０の弧状表面上に置かれた食材が均一に加熱され、生焼けになったり焦げたりすることがない。
【００２８】
本実施形態では、液体を沸騰するまで加熱し、調理プレートの温度を恒温に保つことができるが、その皿体２０上の温度は、固定された温度ではなく、実際の環境条件（例えば、現場の気温、気圧、皿体２０の表面に置かれた食材の温度など）により、液体が沸騰する温度が異なる（例えば、３〜５℃の違いがある）。なお、当業者であれば分かるように、皿体２０の形状は、半円球状だけに限定されるわけではなく、液体３０を収納することが可能な収納空間２０１を有し、その外部表面に食材を置くことができる形状であれば、立方体や錐形体などでもよい。
【００２９】
以上、当該分野の技術を熟知するものが理解できるように本考案の好適な実施形態を開示したが、本考案は上述した実施形態に限定されるものではなく、本考案の主旨と領域を脱しない範囲内で各種の変更や修正を加えることができる。従って、本考案の実用新案登録請求の範囲は、このような変更や修正を含めて広く解釈される。
【図面の簡単な説明】
【００３０】
【図１】従来の韓国式焼肉用調理プレートを示す断面図である。
【図２】本考案の一実施形態による恒温調理プレートを有する鍋具を示す斜視図である。
【図３】本考案の一実施形態による恒温調理プレートを有する鍋具を使用するときの状態を示す断面図である。
【符号の説明】
【００３１】
１０：底部、１０１：凸縁、１０２：環状溝、１０３：加熱層、１０４：鍋体、２０：皿体、２０１：収納空間、２０２：バンプ、２０３：開口、２０４：蓋体、２０５：空気孔、３０：液体、４０：電気により熱エネルギを発生させる装置
【図１】
0003146205.tif 000003
【図２】
0003146205.tif 000004
【図３】
0003146205.tif 000005